(57)【要約】　【課題】　分散した装置間で画像信号を暗号化して送受信する環境下で、紙幣等の特定原画の偽造を確実に防止することができるようにする。【解決手段】　画像走査装置の暗号化装置により画像信号を暗号化するに際し、原稿の画像をブロック単位に分割して、その分割した画像と紙幣の特徴部分を示す特定画像との比較を行ない（Ｓ２４０）、類似度が低いときには、暗号化キーｋを暗号化キー生成部から送られてくる値のままとして、暗号化キーｋと暗号化データＹとを出力する（Ｓ２６０）。一方、類似度が高いときには、暗号化キーｋを誤った値に変更して（ステップＳ２５０）、その誤った暗号化キーｋと暗号化データＹとを出力する（Ｓ２６０）。このため、この暗号化された画像信号を伝送路１２を介して他の機器で取り込んで解読しようとしても、その誤った暗号化キーでは暗号化データの解読を行なうことができない。【選択図】　図６
2004046230.tif 000002
【特許請求の範囲】
【請求項１】
　暗号化された画像信号を外部装置に出力する画像信号出力装置であって、
　多値画像を所定の大きさのブロックに分割して各ブロックの多値画像を順に抽出するブロック画像抽出手段と、
　該抽出された各ブロックの多値画像を所定の規則に従って暗号化して、暗号化信号を生成する暗号化手段と、
　前記ブロックと同じ大きさの予め定められた特定画像を記憶する特定画像記憶手段と、
　前記ブロック画像抽出手段により抽出されたブロックの多値画像毎に、前記特定画像との画像の比較を行なうことにより、各ブロックの多値画像が前記特定画像と同一もしくは類似するか否かを判定する判定手段と、
　該判定手段により前記ブロックの多値画像が前記特定画像と同一もしくは類似すると判定されたとき、前記暗号化信号の解読に支障が出るように、前記暗号化手段で生成された当該判定のなされたブロックの多値画像についての暗号化信号に変更を加えて、該変更した暗号化信号を出力する変更手段と
　を備える画像信号出力装置。
【請求項２】
　暗号化された画像信号を外部装置に出力する画像信号出力装置であって、
　多値画像を所定の大きさのブロックに分割して各ブロックの多値画像を順に抽出するブロック画像抽出手段と、
　該抽出された各ブロックの多値画像を所定の規則に従って暗号化して、暗号化信号と解読キーとを生成する暗号化手段と、
　前記ブロックと同じ大きさの予め定められた特定画像を記憶する特定画像記憶手段と、
　前記ブロック画像抽出手段により抽出されたブロックの多値画像毎に、前記特定画像との画像の比較を行なうことにより、各ブロックの多値画像が前記特定画像と同一もしくは類似するか否かを判定する判定手段と、
　該判定手段により前記ブロックの多値画像が前記特定画像と同一もしくは類似すると判定されたとき、前記暗号化信号の解読に支障が出るように、前記暗号化手段で生成された当該判定のなされたブロックの多値画像についての解読キーに変更を加えて、該変更した解読キーを前記暗号化信号と共に出力する変更手段と
　を備える画像信号出力装置。
【発明の詳細な説明】
【技術分野】
【０００１】
　本発明は、暗号化された画像信号を外部装置に出力する画像信号出力装置に関する。
【背景技術】
【０００２】
　近年の製版機器の技術の発展に伴い、それらを用いた紙幣、有価証券等の偽造が社会的な問題になりつつある。こうした偽造を防止するものとして、原稿に照明光を照射することによりその反射光から原稿の画像を読み取り、その原稿の画像と予め記憶した紙幣を表わす画像とを比較することにより、その原稿が紙幣であるか否かを判別し、紙幣であると判別されると、その画像出力を禁止する構成が提案されている（例えば、特開平４−２２７３６７号公報）。
【０００３】
　ところで、製版機器は入出力が一体になっているタイプだけでなく、ネットワークの普及により、各装置が分散した状況で使用されるケースが多い。こうした場合、第三者の情報の盗聴を防止することを目的として、データを暗号化して送受信する手法がとられることが少なくない。こうした環境下では、悪意の第三者は、入力装置を用いて読み取った紙幣の画像データを暗号化してネットワークに送り、これを分散した出力装置で解読して紙幣の画像を出力するといったことを行なうことができる。この場合、善意の者は、ネットワーク上のデータをチェックすることができず、紙幣等の特定原画の偽造を容易に許してしまう。
【０００４】
　本発明の画像信号出力装置は、分散した装置間で画像信号を暗号化して送受信する環境下で、紙幣等の特定原画の偽造を防止することを可能とすることを目的としている。
【発明の開示】
【課題を解決するための手段】
【０００５】
　このような目的を達成すべく、前記課題を解決するための手段として、以下に示す構成をとった。
【０００６】
　即ち、請求項１記載の画像信号出力装置は、
　暗号化された画像信号を外部装置に出力する画像信号出力装置であって、
　多値画像を所定の大きさのブロックに分割して各ブロックの多値画像を順に抽出するブロック画像抽出手段と、
　該抽出された各ブロックの多値画像を所定の規則に従って暗号化して、暗号化信号を生成する暗号化手段と、
　前記ブロックと同じ大きさの予め定められた特定画像を記憶する特定画像記憶手段と、
　前記ブロック画像抽出手段により抽出されたブロックの多値画像毎に、前記特定画像との画像の比較を行なうことにより、各ブロックの多値画像が前記特定画像と同一もしくは類似するか否かを判定する判定手段と、
　該判定手段により前記ブロックの多値画像が前記特定画像と同一もしくは類似すると判定されたとき、前記暗号化信号の解読に支障が出るように、前記暗号化手段で生成された当該判定のなされたブロックの多値画像についての暗号化信号に変更を加えて、該変更した暗号化信号を出力する変更手段と
　を備えることを、その要旨としている。
【０００７】
　以上のように構成された請求項１記載の画像信号出力装置は、判定手段により、多値画像に予め定められた特定画像と同一もしくは類似する画像が含まれると判定されると、暗号化信号の解読に支障が出るように、変更手段により、暗号化手段で生成された暗号化信号に変更を加える。この結果、この画像信号出力装置では、紙幣、有価証券等の特定画像を暗号化して外部装置に出力しようとしても、その出力信号は、暗号化手段による暗号化の規則とは違った信号に変更され、解読することができない。特に、多値画像をブロックに分割し、ブロック毎に暗号化を行なう構成となっていることから、類似度の高いブロックのみの画像の再現を不良とし、他のブロックは正常に再現することができる。従って、画像内の一部に紙幣、有価証券等の特定画像がある場合に、特定画像のみを不良として、他の部分の画像には影響を及ぼさないで再現することができる。
【０００８】
　一方、請求項２記載の画像信号出力装置は、
　暗号化された画像信号を外部装置に出力する画像信号出力装置であって、
　多値画像を所定の大きさのブロックに分割して各ブロックの多値画像を順に抽出するブロック画像抽出手段と、
　該抽出された各ブロックの多値画像を所定の規則に従って暗号化して、暗号化信号と解読キーとを生成する暗号化手段と、
　前記ブロックと同じ大きさの予め定められた特定画像を記憶する特定画像記憶手段と、
　前記ブロック画像抽出手段により抽出されたブロックの多値画像毎に、前記特定画像との画像の比較を行なうことにより、各ブロックの多値画像が前記特定画像と同一もしくは類似するか否かを判定する判定手段と、
　該判定手段により前記ブロックの多値画像が前記特定画像と同一もしくは類似すると判定されたとき、前記暗号化信号の解読に支障が出るように、前記暗号化手段で生成された当該判定のなされたブロックの多値画像についての解読キーに変更を加えて、該変更した解読キーを前記暗号化信号と共に出力する変更手段と
　を備えることを、その要旨としている。
【０００９】
　以上のように構成された請求項２記載の画像信号出力装置は、判定手段により、多値画像に予め定められた特定画像と同一もしくは類似する画像が含まれると判定されると、暗号化信号の解読に支障が出るように、変更手段により、暗号化手段から出力される解読キーに変更を加える。この結果、この画像信号出力装置では、紙幣、有価証券等の特定画像を暗号化して外部装置に出力しようとしても、前記変更された解読キーでは解読することができない。特に、多値画像をブロックに分割し、ブロック毎に暗号化を行なう構成となっていることから、類似度の高いブロックのみの画像の再現を不良とし、他のブロックは正常に再現することができる。従って、画像内の一部に紙幣、有価証券等の特定画像がある場合に、特定画像のみを不良として、他の部分の画像には影響を及ぼさないで再現することができる。
【発明を実施するための最良の形態】
【００１０】
　以上説明した本発明の構成・作用を一層明らかにするために、以下本発明の好適な実施例について説明する。
【００１１】
　図１は、本発明の第１実施例としての画像信号出力装置を備える分散型製版システム１０の概略構成図である。分散型製版システム１０は、ＬＡＮ（ローカルエリアネットワーク）で構成されており、その伝送路１２には、画像走査装置１４、画像記録装置１６、画像処理装置１８および画像データベース１９が接続されている。なお、このＬＡＮとしては、イーサネット（Ethernet、ゼロックス社の登録商標）などを利用することができる。
【００１２】
　画像走査装置１４は、原稿Ｐの画像を走査・光電変換して原稿Ｐの画像信号（多値の画像データ）を読み取る装置である。なお、この画像走査装置１４は、内蔵する暗号化装置１４ａにより画像信号を暗号化してから、外部への画像信号の出力を行なっている。
【００１３】
　画像記録装置１６は、入力された画像信号に従って、感光フィルムＦに網画像を記録する装置である。なお、この画像記録装置１６は、入力される画像信号に暗号化処理が施されている場合、内蔵する暗号解読装置１６ａによりその暗号化された画像信号を解読してから感光フィルムＦへの記録を行なっている。
【００１４】
　画像処理装置１８は、マスキング色補正やカラー・コレクション、濃度レンジ設定、グラデーションおよびシャープネス等の処理を画像信号に施す装置である。画像走査装置１４の内部には、暗号解読装置１８ａと暗号化装置１８ｂとが設けられており、画像走査装置１４から入力される暗号化処理が施された画像信号を、暗号解読装置１８ａにより一旦解読して、上記各種の処理を施す。その後、画像信号は暗号化装置１８ｂにより再び暗号化されて、伝送路１２に送出される。
【００１５】
　なお、この実施例では、画像走査装置１４，画像記録装置１６および画像処理装置１８は、それぞれ１つずつ設けた構成としているが、これに換えて、それぞれ複数ずつ設けた構成としてもよく、また、各画像走査装置１４，画像記録装置１６および画像処理装置１８は、必ずしも同じ数でなくてもよい。
【００１６】
　こうした構成の分散型製版システム１０では、画像走査装置１４で原稿Ｐの画像信号を読み取って、その画像信号に対して画像処理装置１８により各種の処理を施す。次いで、その処理の施された画像信号を画像記録装置１６で感光フィルムＦに記録する。また、画像走査装置１４で読み取った画像信号や画像処理装置１８で画像処理された画像信号は画像データベース１９に登録することができ、それらの画像信号を処理したり、記録することもできる。
【００１７】
　画像走査装置１４に備えられる暗号化装置１４ａについて、次に詳述する。なお、画像処理装置１８に備えられる暗号化装置１８ｂについては、この暗号化装置１４ａと同じものである。
【００１８】
　図２は、暗号化装置１４ａの概略構成を示すブロック図である。図２に示すように、暗号化装置１４ａは、特許請求の範囲で言うところの暗号化手段として暗号化器２０と、判定手段としての画像判定部３０と、変更手段としての出力制御部４０とから構成される。この暗号化装置１４ａに入力する画像データは、図３に示すように、ｎ×ｎ（ｎは任意の数で、ここでは、ｎ＝８として説明する）画素のブロックに分解されており、そのブロック毎に画像データは順に暗号化器２０に送られる。
【００１９】
　まず、暗号化器２０について説明する。暗号化器２０は、暗号化部２２と暗号化キー生成部２４とを備える。暗号化部２２は、上記のように入力する画像データに対して暗号化の処理を施すものである。この暗号化の処理は、一般には、元の情報をＸ、暗号化関数をｆ、暗号のキー（以下、暗号化キーと呼ぶ。なお、これは、請求項２における解読キーに相当する。）をｋとすると、次式（１）に基づいて、暗号化された情報（以下、暗号化データと呼ぶ）Ｙを生成するものである。
　　Ｙ＝ｆ（ｋ、Ｘ）　　...　（１）
【００２０】
　上記暗号化キーｋは、暗号化キー生成部２４で生成される。暗号化キー生成部２４では、乱数を基にその都度異なった暗号化キーを生成するように構成されている。これは、暗号化キーｋを常に一つのものとすると、もとの情報Ｘと暗号化された情報Ｙとから暗号化キーｋが解読される恐れがあるためで、暗号化キー生成部２４では、暗号化キーｋは１回使用される毎に相違する値を生成する。なお、暗号化キー生成部２４で生成される暗号化キーｋは、暗号化部２２はもとより、出力制御部４０にも出力される。また、暗号化器２０からも暗号化データＹが出力制御部４０に出力される。
【００２１】
　画像判定部３０について次に説明する。
　画像判定部３０は、入力画像に紙幣を示す特定画像が含まれているか否かを判定するものである。画像判定部３０は、特定画像が登録される辞書３２を備えており、その辞書３２に登録された特定画像と入力画像との類似度を、類似度計算部３４により計算して、その類似度を示す信号を出力制御部４０に出力する。なお、入力画像としては、前述した８×８画素のブロックに分割された画像データが順に入力する。
【００２２】
　類似度計算部３４は、入力画像の全体をプリスキャンして、入力画像の内のどのブロックが特定画像と類似度が高いかを判定するものである。特定画像は、紙幣の特徴部分を示す画像であり、その画像を示す画像データがテンプレート（前述した８×８画素のブロックと同じ大きさ）として予め辞書３２に記憶されている。類似度計算部３４は、辞書３２からテンプレートを１つ抽出して、このテンプレート１つに対して、入力画像の内の８×８画素のブロックを順に比較していく。そうして、全てのブロックの中で、最もそのテンプレートと相関の高いブロックを記憶しておく。なお、テンプレートは、前述したように紙幣の特徴部分を示すものであるが、１つであってもよく、また、好ましくは複数用意したほうがよい。
【００２３】
　図４は、類似度計算部３４をいわゆるマイクロコンピュータにより実現したとき、そのマイクロコンピュータで実行される類似度計算ルーチンを示すフローチャートである。図４に示すように、処理が開始されると、このマイクロコンピュータのＣＰＵは、まず、最大類似度を示す最大類似度データＳＭを値０にクリアする（ステップＳ１００）。なお、この最大類似度データＳＭは、入力画像を構成する８×８画素のブロック数に対応する数Ｎのデータ要素からなる配列を備えている。次いで、以後のステップで使用する変数ｉを値１にセットする（ステップＳ１１０）。
【００２４】
　続いて、辞書３２からテンプレートを１つ取り出す（ステップＳ１１０）と共に、入力画像から前記変数ｉで定まる８×８画素のブロック、即ち、ｉ番目のブロックを取り出す（ステップＳ１２０）。
【００２５】
　続いて、ステップＳ１１０で取り出したテンプレートとステップＳ１２０で取り出したｉ番目のブロックとを比較して、両者の相関の程度を示す相関係数を算出する（ステップＳ１３０）。次いで、その相関係数の値からそのブロックの類似度Ｓを求める（ステップＳ１４０）。なお、その類似度Ｓの算出は、予めマイクロコンピュータのＲＯＭに格納されたマップを用いて行なう。このマップは、例えば、図５に示すような関係を有し、相関係数が所定値ｔ０付近より大きくなると、類似度Ｓは急激に増大した値となっている。
【００２６】
　その後、ステップＳ１４０で算出された類似度Ｓと最大類似度データＳＭのｉ番目の配列位置に記憶されているデータ値ＳＭ（ｉ）とを比較して、類似度Ｓがデータ値ＳＭ（ｉ）より大きいか否かを判別する（ステップＳ１５０）。ここで、類似度Ｓがデータ値ＳＭ（ｉ）より大きいと判別されると、データ値ＳＭ（ｉ）を上記類似度Ｓの値に更新する処理を行なう（ステップＳ１６０）。一方、類似度Ｓがデータ値ＳＭ（ｉ）以下であると判別されると、ステップＳ１６０の処理を行なわない。
【００２７】
　その後、変数ｉを値１だけインクリメントする（ステップＳ１７０）。続いて、変数ｉが入力画像を構成するブロックの数Ｎより大きいか否かを判定することで、これまで処理してきたｉ番目のブロックが入力画像の中の最終ブロックであるか否かを判別する（ステップＳ１８０）。ここで、否定判定、即ち、最終ブロックでないと判別されると、ステップＳ１２０に処理を進める。ステップＳ１２０では、入力画像から次の８×８画素のブロック、即ち、これまでのブロックに隣合うブロックを取り出し、そのブロックに関して、ステップＳ１３０ないしＳ１８０の処理を繰り返し実行する。
【００２８】
　その後、ステップＳ１８０で否定判定、即ち、最終のブロックであると判別されると、処理をステップＳ１９０に進める。この時点で、ステップＳ１１０で辞書３２から取り出したテンプレートに対して類似度Ｓの最も高いブロックがどれで、その類似度Ｓの値がどれだけかが、最大類似度データＳＭの値から判る。
【００２９】
　ステップＳ１９０では、ステップＳ１１０で取り出したテンプレートが最終のテンプレートであるか否かを判別する。ここで、最終テンプレートでないと判別されると、ステップＳ１１０に進み、辞書３２から次のテンプレートを１枚取り出す。その後、ステップＳ１１０ないしＳ１８０の処理により、そのテンプレートに対して最も類似度の高いブロックを判定する。一方、ステップＳ１９０で、最終のテンプレートであると判別されると、処理を「エンド」に進めて、このルーチンの実行を終了する。
【００３０】
　こうして、この類似度計算ルーチンにより求められた最大類似度データＳＭは出力制御部４０に送られる。
【００３１】
　出力制御部４０について次に説明する。
　出力制御部４０は、暗号化部２２から送られてくる暗号化データＹと、暗号化キー生成部２４から送られてくる暗号化キーｋとを対にして外部に出力するものである。なお、出力制御部４０では、この出力の際、画像判定部３０から送られてくる最大類似度データＳＭに基づいて、暗号化キー生成部２４から送られてくる暗号化キーｋの変更も行なっている。具体的には、最大類似度データＳＭから、暗号化器２０に入力する８×８画素のブロックに対応した要素のデータを取り出して、そのデータが小さい値、即ち類似度が低いときには、暗号化キーｋを暗号化キー生成部２４から送られてくる値のままとして、暗号化キーｋと暗号化データＹとを出力する処理を行ない、一方、そのデータが大きい値、即ち類似度が高いときには、暗号化キーｋを誤った値に変更して、その誤った暗号化キーｋと暗号化データＹとを出力する処理を行なう。
【００３２】
　図６は、出力制御部４０をいわゆるマイクロコンピュータにより実現したとき、そのマイクロコンピュータで実行される出力制御ルーチンを示すフローチャートである。図６に示すように、処理が開始されると、このマイクロコンピュータのＣＰＵは、まず、暗号化部２２から送られてくる暗号化データＹを入力し（ステップＳ２００）、次いで、暗号化キー生成部２４から送られてくる暗号化キーｋを入力する（ステップＳ２１０）。
【００３３】
　続いて、暗号化器２０に入力する暗号化データＹである８×８画素のブロックが何番目のものかを調べてその順位ｊを読み込む（ステップＳ２２０）。続いて、画像判定部３０の類似度計算部３４から送られてきた最大類似度データＳＭの内から上記ブロックの順位と同じｊ番目の要素のデータＳＭ（ｊ）を読み込む（ステップＳ２３０）。その後、このデータＳＭ（ｊ）で示される類似度が予め定めた所定値Ｓ０（例えば、２５［％］）より小さいか否かを判別する（ステップＳ２４０）。ここで、データＳＭ（ｊ）が所定値Ｓ０より小さくないと判別されると、暗号化キーｋを、暗号化キー生成部２４で生成されたものから予め定めた誤った値のものに変更する処理を行なう（ステップＳ２５０）。一方、ステップＳ２２０で肯定判別されたときには、ステップＳ２５０を実行しない。
【００３４】
　その後、暗号化データＹと暗号化キーｋとを所定の形式で対にした暗号信号Ｓｃを外部に出力する（ステップＳ２６０）。ステップＳ２６０の実行後、「リターン」に抜けてこの処理を一旦終了する。
【００３５】
　画像記録装置１６に備えられる暗号解読装置１６ａについて、次に詳述する。なお、画像処理装置１８に備えられる暗号解読装置１８ａについては、この暗号解読装置１６ａと同じ構成である。
【００３６】
　図７は、暗号解読装置１６ａの概略構成を示すブロック図である。図７に示すように、暗号解読装置１６ａは、信号分離部８０と解読部８２とから構成される。この信号分離部８０は、画像走査装置１４の暗号化装置１４ａから送られてきた暗号信号Ｓｃを入力して、その暗号信号Ｓｃを暗号化された情報（暗号化データ）Ｙと暗号化キーｋとに分離する。次いで、解読部８２により、その暗号化キーｋを使用して暗号化データＹを解読する処理を行ない、解読された画像データを生成する。
【００３７】
　以上のように構成されたこの第１実施例の分散型製版システム１０では、画像走査装置１４の暗号化装置１４ａにより画像信号を暗号化するに際し、その画像信号で示される画像が紙幣の特徴部分を示す特定画像と類似していると判別されると、暗号化キーを正常に出力しないようにしている。このため、画像走査装置１４で読み取った画像信号を伝送路１２を介して他の機器で取り込んで、その画像信号を出力しようとしても、その誤った暗号化キーでは暗号化された画像データの解読を行なうことができない。従って、いずれの機器（画像記録装置１６あるいは画像処理装置１８）でも、紙幣の特定画像を偽造することができない。
【００３８】
　この分散型製版システム１０によって、紙幣の特定画像を示す画像データがどのようなデータに暗号化されて復元が不可能になるかを、具体的な例をあげて次に説明する。
【００３９】
　暗号化器２０では、ある時点（工場出荷時や最初のソフトウェアーのインストール時刻など）を起点として、その起点からの経過時間ｔをμsec単位で装置内 部でカウントする。この時刻ｔから、まず
　　　　　　　ｔ２（ｍｏｄ ｎ ）
を計算する。ここで、関数ｍｏｄは、剰余を求めるもので、ｎは装置毎に個別に生成される大きな素数を定期的に切り換えた値である。
【００４０】
　例えば、ｔ＝３１４５６、ｎ＝３２７４９とすると、
　　　（３１４５６）２（ｍｏｄ ３２７４９ ）
　　　＝９８９４７９９３６（ｍｏｄ ３２７４９ ）
　　　＝１６５０
となる。
【００４１】
　次いで、この値を２進数に変換して、下位８ビットから暗号化キーｋを算出する。即ち、１６５０＝（１１００１１１００１０）２ であり、その下位８ビットである、（０１１１００１０）２ ＝（７２）１６を暗号化キーｋとする。
【００４２】
　こうして求められた暗号化キーｋを用いて、次のルールに従う暗号化の処理を施す。
（暗号化ルール）
　ｕ＋ｖの値が奇数の時、元の情報Ｘ（ｕ，ｖ）に上記暗号化キーｋを加算し、その加算結果の下位８ビットを暗号化の結果、即ち暗号化データＹとし、
　ｕ＋ｖの値が偶数の時、元の情報Ｘ（ｕ，ｖ）から暗号化キーｋを減算し、その減算結果の下位８ビットを暗号化データＹとする。
【００４３】
　図８には、入力画像データとしての８×８画素のブロックの一例を示した。このブロックのデータが上記ルールに従って暗号化されると、その結果である暗号化データＹは、図９に示すようになる。
【００４４】
　この暗号化された暗号化データＹ（ｕ，ｖ）と暗号化キーｋとは、伝送路１２を介して画像記録装置１６に送られる。画像記録装置１６の暗号解読装置１６ａでは、暗号化データＹ（ｕ，ｖ）と暗号化キーｋとから暗号化とは逆の操作、即ち、次に示すルールに従う処理を行なう。
【００４５】
（解読ルール）
　ｕ＋ｖの値が偶数の時、暗号化データＹ（ｕ，ｖ）にｋを加算して、その加算結果の下位８ビットを解読後の結果とし、
　ｕ＋ｖの値が奇数の時、暗号化データＹ（ｕ，ｖ）からｋを減算して、その減算結果の下位８ビットを解読後の結果とする。
【００４６】
　ところで、入力画像データである８×８画素のブロックと特定画像との類似度が０［％］であるときには、伝送路１２から正常な暗号化キーｋが送られることから、画像記録装置１６の暗号解読装置１６ａでは、その正常な暗号化キーｋを用いて上記解読ルールに従う画像データの解読がなされる。この解読後の画像データは、画質の劣化もなしに、優れた再現性で復元がなされる。これに対して、特定画像との類似度が２５［％］以上となると、誤った暗号化キーｋが送られることになる。この場合、暗号化キーｋは、正常な値（（７２）１６）ではなく、例えば、（４５）１６となり、この値の暗号化キーｋ′を用いると、上記解読ルールに従って解読された画像データＺ（ｕ，ｖ）は、図１０に示すようになる。
【００４７】
　この解読後の画像データＺ（ｕ，ｖ）は、図１０で示した入力画像データと比較すると、全く相違するものとなる。即ち、類似度が２５［％］以上のときには、再現性が全くない状態で、画像データは復元されることになる。
【００４８】
　従って、上記具体的な例からも、特定画像と類似度が高い画像については、十分な再現性で画像の復元ができないことがわかる。このため、紙幣を偽造することを確実に防止することができる。なお、この偽造防止は、従来の構成に対して画像走査装置１４の暗号化装置１４ａの構成を改良するだけでよく、全ての出力機の構成を変更する必要がないことから、構成が簡単であるといった効果も奏する。
【００４９】
　また、この実施例では、画像全体を小さなブロックに分割し、ブロック毎に暗号化を行なう構成となっていることから、類似度の高いブロックのみの画像の再現を不良とし、他のブロックは正常に再現することができる。従って、画像内の一部に紙幣の特定画像がある場合に、特定画像のみを不良として、他の部分の画像には影響を及ぼさないで再現することができる。
【００５０】
　なお、前記実施例で具体的に示した暗号化ルールは、実際に比べると、非常に簡単な例で説明した。この例であっても、暗号化キーの値が正しくないと正常な画像への復元は難しいが、実用的にはさらに、複雑な暗号化ルールに暗号化を施す事によって、試行錯誤的に力任せで解読する事をより困難にすることができる。
【００５１】
　本発明の第２実施例について次に説明する。本発明の第２実施例は、第１実施例と比較して、出力制御部の構成が相違し、その他の構成については同一である。図１１は、出力制御部をいわゆるマイクロコンピュータにより実現したとき、そのマイクロコンピュータで実行される出力制御ルーチンを示すフローチャートである。この出力制御ルーチンは、第１実施例の出力制御ルーチン（図１１）と比較して、ステップＳ２００〜Ｓ２４０，Ｓ２６０については同一であり、第１実施例におけるステップＳ２５０だけが相違する。即ち、マイクロコンピュータのＣＰＵは、ステップＳ２４０で、データＳＭ（ｊ）が所定値Ｓ０より小さくないと判別されると、暗号化データＹを、暗号化部２２で生成されたものから予め定めた誤ったデータに変更する処理を行なう（ステップＳ３５０）。一方、ステップＳ２２０で肯定判別されたときには、ステップＳ３５０を実行しない。
【００５２】
　こうした構成の出力制御ルーチンによれば、最大類似度データＳＭから、暗号化器２０に入力する８×８画素のブロックに対応した要素のデータを取り出して、そのデータが小さい値、即ち類似度が低いときには、暗号化データＹを暗号化部２２から送られてくる値のままとして、暗号化キーｋと暗号化データＹとを出力する処理を行ない、一方、そのデータが大きい値、即ち類似度が高いときには、暗号化データＹを誤ったデータに変更して、暗号化キーｋとその誤った暗号化データＹとを出力する処理を行なう。
【００５３】
　このため、画像走査装置１４で読み取った画像信号を伝送路１２を介して他の機器で取り込んで、その画像信号を出力しようとしても、その誤った暗号化データでは復元することができない。従って、第１実施例と同様に、いずれの機器（画像記録装置１６あるいは画像処理装置１８）でも、紙幣の特定画像を偽造することができない。
【００５４】
　なお、前記第１および第２実施例では、ネットワークを介してデータをやり取りする構成としたが、これに換えて、磁気テープや光磁気ディスクなど他の媒体を使用して、画像走査装置１４、画像記録装置１６および画像処理装置１８間のデータをやり取りする構成としてもよい。
【００５５】
　以上、本発明のいくつかの実施例を詳述してきたが、本発明は、こうした実施例に何等限定されるものではなく、偽造防止の対象としては、紙幣のみならず、有価証券、切手、印紙等であってもよく、本発明の要旨を逸脱しない範囲において種々なる態様にて実施することができるのは勿論のことである。
【００５６】
　以上詳述したように請求項１および２記載の画像信号出力装置によれば、利用者が紙幣、有価証券等の特定画像を暗号化して外部装置に出力しようとしても、その出力された画像データは再現性よく復元することができない。このため、分散した装置間で画像信号を暗号化して送受信する環境下で、紙幣、有価証券等の特定画像の偽造を確実に防止することができる。
【図面の簡単な説明】
【００５７】
【図１】本発明の第１実施例としての画像信号出力装置を備える分散型製版システム１０の概略構成図である。
【図２】暗号化装置１４ａの概略構成を示すブロック図である。
【図３】入力画像が８×８画素のブロックに分解されることを示す説明図である。
【図４】マイクロコンピュータで実行される類似度計算ルーチンを示すフローチャートである。
【図５】相関係数と類似度との関係を示すグラフである。
【図６】マイクロコンピュータで実行される出力制御ルーチンを示すフローチャートである。
【図７】暗号解読装置１６ａの概略構成を示すブロック図である。
【図８】入力画像データとしての８×８画素のブロックの一例を示す図である。
【図９】暗号化後の暗号化データを示す図である。
【図１０】解読後の画像データを示す図である。
【図１１】第２実施例においてマイクロコンピュータで実行される出力制御ルーチンを示すフローチャートである。
【符号の説明】
【００５８】
　　１０...分散型製版システム
　　１２...伝送路
　　１４...画像走査装置
　　１４ａ...暗号化装置
　　１６...画像記録装置
　　１６ａ...暗号解読装置
　　１８...画像処理装置
　　１８ａ...暗号解読装置
　　１８ｂ...暗号化装置
　　１９...画像データベース
　　２０...暗号化器
　　２２...暗号化部
　　２４...暗号化キー生成部
　　３０...画像判定部
　　３２...辞書
　　３４...類似度計算部
　　４０...出力制御部
　　８０...信号分離部
　　８２...解読部
【図１】
2004046230.tif 000003
【図２】
2004046230.tif 000004
【図３】
2004046230.tif 000005
【図４】
2004046230.tif 000006
【図５】
2004046230.tif 000007
【図６】
2004046230.tif 000008
【図７】
2004046230.tif 000009
【図８】
2004046230.tif 000010
【図９】
2004046230.tif 000011
【図１０】
2004046230.tif 000012
【図１１】
2004046230.tif 000013